【事件の表示】
　特願２００４−２６３２１８「バイオチップ作成装置」拒絶査定不服審判事件〔平成１８年　３月２３日出願公開，特開２００６−　７８３５６〕について，次のとおり審決する。
【結　論】
　本件審判の請求は，成り立たない。
【理　由】
第１　手続の経緯 
 　本願は，平成１６年９月１０日に出願された特許出願であって，平成２０年１２月２５日付けで拒絶理由通知書が出され，平成２１年２月１８日付けで手続補正がなされたところ，平成２１年３月１０日付けで拒絶査定がなされ，これに対し，同年４月１３日に拒絶査定不服審判の請求がなされるとともに，同年５月１３日付けで手続補正がなされたものである。 
 　 
第２　平成２１年５月１３日付けの手続補正についての補正却下の決定 
 ［補正却下の決定の結論］ 
 　平成２１年５月１３日付けの手続補正（以下，「本件補正」という。）を却下する。 
 　 
 ［理由］  
 １．補正後の請求項１に記載された発明
　　本件補正により，補正前の特許請求の範囲（平成２１年２月１８日付けの手続補正により補正されたもの。）の請求項１は，次のとおりに補正された。（下線は補正箇所を示す。）
 「　【請求項１】
　基板上に生体高分子のアレイを形成するバイオチップ作成装置において，
　前記基板を上下左右に移動する手段と，
　それぞれ
種類の異なる
にその根元部分が結合され
　前記基板を所定位置へ移動させて，各溶液供給装置の溶液を前記基板の所定位置にそれぞれ付着させ，基板上に生体高分子アレイを形成できるように構成したことを特徴とするバイオチップ作成装置。」
 　 
 　特許請求の範囲請求項１についての上記の補正は，それぞれ溶液供給部に溜める生体高分子を含む溶液を，「この溶液供給部にその根元部分が結合されそれぞれ種類の異なる生体高分子を含む溶液」と限定し，前記溶液を先端部まで導くピンについて，「この溶液供給部にその根元部分が結合され前記溶液を先端部まで導くピン」と補正して，ピンの取付け形態を具体的に限定するものであるから，平成１８年法律第５５号改正附則第３条第１項によりなお従前の例によるとされる同法による改正前（以下，「平成１８年改正前」という。）の特許法第１７条の２第４項第２号の特許請求の範囲の減縮を目的とするものに該当する。 
　そこで，補正後の請求項１に記載された発明（以下，「補正発明」という。）が特許出願の際に独立して特許を受けることができるものであるか（平成１８年改正前の特許法第１７条の２第５項において準用する同法第１２６条第５項の規定に適合するか）について以下に検討する。
  　 
 ２．引用刊行物等の記載事項 
　原査定の拒絶の理由に引用され，本願出願前に頒布された刊行物である特開２００４−２１２３０３号公報（以下，「刊行物１」という。），特開２００１−３３７０８８号公報（以下，「刊行物２」という。），下記（１）及び（２）に記す事項が，図面とともに記載されている。
　また，前置報告書において本願出願前から周知の技術的事項として引用された特開２００２−４００３６号公報（以下，「刊行物３」という。）、本願出願前に頒布された刊行物である特開２００３−３３７０８４号公報（以下，「刊行物４」という。）及び特開２０００−３００２５３号公報（以下，「刊行物５」という。）には，下記（３）〜（５）に記す事項が，図面とと共に記載されている。
　なお，下線は当審が付したものである。　
（１）刊行物１記載の事項
（１ａ）「【０００９】【課題が解決するための手段】
上記目的を達成するために，本発明においては，請求項１に記載するように，
基板上に，
特異性生体分子が配列され固定化されたバイオチップ
毛管流路が軸線方向に形成されて
前記基板表面に接触する側の端部に前記毛管流路の開口部が形成されているスポットピン
【００１０】本発明によれば，上記毛管構造を有するスポットピンを用いることにより，特異性生体分子が溶媒に溶解等した特異性生体分子溶液を毛管流路内に所定量保持させることができる。したがって，このようなスポットピンを備えたバイオチップの製造装置とすることにより，同一のスポットピンを用いて基板表面に特異性生体分子を接触付着させることを，特異性生体分子溶液をその都度補充することなく複数回繰り返した場合でも，均一な形状のスポットを形成することができ，スポットの形状にムラの少ないバイオチップを製造することができる。」
　
（１ｂ）「【００６１】本発明におけるスポットピン用ホルダーは，上述したスポットピンを軸線方向に移動可能に保持してなることを特徴としている。
【００６２】このような本発明におけるスポットピン用ホルダーを有するバイオチップの製造装置により製造されるバイオチップは，通常異種の特異性生体分子を数百から数万種類配列してなるものであるため，本発明におけるスポットピン用ホルダーは，上述したスポットピンが複数本保持されたものであることが好ましい。一度の接触・付着により複数個のスポットを形成することができるからである。
【００６３】本発明におけるスポットピン用ホルダーが保持することのできるスポットピンの個数は，通常４本〜２０００本の範囲内であり，特に２０本〜１０００本の範囲内であることが好ましい。
【００６４】また，これらのスポットピンは一定間隔に配置されていることが好ましく，具体的に，隣接したスポットピン同士の間隔は，通常０．２ｍｍ〜５０ｍｍの範囲内であり，特に１ｍｍ〜１０ｍｍの範囲内であることが好ましい。
【００６５】本発明におけるスポットピン用ホルダーは，スポットピンが軸線方向に移動可能に保持されているため，完全にフラットでない基板上にすべてのスポットピンが同時に接触することができるものである。
【００６６】このように，軸線方向に移動可能にスポットピンを保持するホルダーの構造としては，例えば，図８に示すような構造を挙げることができる。この例においては，ストッパー１３を有するスポットピンを用いたものであり，支持板２１に貫通孔２２が形成されており，この貫通孔２２の径は上記ストッパー１３の径より小さく形成されている。そしてこの貫通孔２２にスポットピンのピン本体１１を挿入することにより，スポットピンをその軸線方向に移動自在に支持するものである。」
　
（１ｃ）「【００６８】本発明におけるホルダー用支持部は，上述したスポットピン用ホルダーを後述するステージ上において固定するものであれば特に限定されるものではない。このホルダー用支持部は，上記スポットピン用ホルダーが上記ステージに対してＸＹＺ方向に相対的に移動できるようにされている。すなわち，ホルダー用支持部がＸＹＺ方向に移動することにより，上記スポットピン用ホルダーを上記ステージに対してＸＹＺ方向に相対的に移動できるようにしてもよいし，上記ホルダー用支持部は固定されており，
ステージがＸＹＺ方向に移動
　
（１ｄ）「【００７５】このように複数のスポットピン用ホルダーを用いることにより，基板上により高密度にスポットを形成することができるという利点を有する。すなわち，通常，ス
ポットピン用ホルダーに保持されたスポットピンは，各々別々の特異性生体分子溶液が入っている容器内の特異性生体高分子溶液に浸漬されて，内部に特異性生体高分子溶液を補充する
【００７６】一方，例えば２つのスポットピン用ホルダーを有するものであれば，第１のスポットピン用ホルダーで基板上にスポットを形成した後，第２のスポットピン用ホルダーを，第１のスポットピン用ホルダーで形成したスポットに隣接してスポットが形成できるように配置してスポットを行うことにより，２倍の密度でスポットを形成することができるようになる。」
　
（１ｅ）「【００９５】２．接触付着工程
次に接触付着工程について説明する。本発明における接触付着工程は，前記毛管流路内に前記特異性生体分子溶液が供給されたスポットピンの先端を，前記基板表面に接触させ，特異性生体分子溶液を基板表面に付着させる工程である。
【００９６】このような接触付着工程は，スポットピンの毛管流路内に特異性生体分子が必要量残存している限り，上述した供給工程により特異性生体分子を補充せずに，複数回繰り返してもよい。本発明においては，毛管流路の毛管構造が複数の溝および複数の孔の少なくとも一方からなる構造であるので，
毛管流路内に特異性生体分子溶液を所定量保持する
【００９７】したがって，例えば，同一基板上の異なる箇所に，異種の特異性生体分子が同様の配列で固定されているバイオチップを製造する場合や，複数枚の同一のバイオチップを製造する場合に，同一のスポットピンを用いて順番に，同一基板上または複数枚の基板に対して本工程を繰り返すことにより，そのようなバイオチップを効率良く製造することができる。
【００９８】なお，本発明のバイオチップの製造方法においては，上記「Ａ．バイオチップの製造装置」の「５．その他」の欄で記載するように，複数のスポットピン用ホルダーを用いて接触付着工程を行ってもよい。」
　
　そして，上記記載に対応した図１〜９が記載されている。
　
　ここで，刊行物１において，前記記載（１ａ）には，「
基板上に，
特異性生体分子が配列され固定化されたバイオチップ
　
　以上の事項から，刊行物１には，次の発明（以下，「刊行物１発明」が記載されていると認められる。
「基板上に特異的生体高分子のアレイを形成するバイオチップ作成装置において，
　前記基板を載置したステージをＸＹＺ方向に移動する手段と，
　各々別の特異性生体高分子液の入ったスポットピンを浸漬するための容器と，
　前記スポットピンは，毛管流路が軸線方向に形成されており，前記基板表面に接触する側の端部に前記毛管流路の開口部が形成されており，前記特異性生体高分子液に浸漬して，前記毛管流路内に特異性生体分子溶液を所定量保持させ，前記特異性生体高分子液を前記開口部まで導くスポットピンを有し，
　所定間隔で複数の前記スポットピンを備え，
　前記基板を所定位置へ移動させて，各スポットピンの特異性生体高分子液を前記基板の所定位置にそれぞれ付着させ，基板上に特異的生体高分子アレイを形成できるように構成したバイオチップ作成装置。」
　 
（２）刊行物２記載の事項
（２ａ）「【００１０】
【発明の実施の形態】以下実施例につき本発明を詳しく説明する。端面が開口された複数のキャピラリをその端面が同一平面となるようにしてアレイ状に配置し，各キャピラリには必要に応じてそれぞれ異なるＤＮＡを封入する。このキャピラリと平面状の基板を対峙させ両者の間に電圧を印加する。この電圧印加によりキャピラリ内部の溶液は電界の作用で盛り上がり，ピコリットルのオーダで基板にＤＮＡが付着する。
【００１１】このような方法により，短時間で，品質が均一なＤＮＡチップを容易に作製することができる。図１はこのような方法を用いてＤＮＡチップを作製する装置の一実施例を示す構成図である。
【００１２】図１において，１はキャピラリ，２はキャピラリ保持部材，３は基板，４は電圧源である。キャピラリ保持部材２には複数個のキャピラリ１が同一ピッチＰでアレイ状に取り付けられる。各キャピラリ１にはＤＮＡ溶液５が注入されるが，自然状態ではキャピラリ端面から溶液がこぼれ出ないような内径（ｄ）のキャピラリが用いられる。
【００１３】このような各キャピラリ１は，垂直状態でキャピラリ保持部材２に取り付けられ，かつ各キャピラリの下端面が水平方向の同一平面上に揃うように保持部材２に取り付けられている。」
が記載されているとともに，上記記載に対応した複数のキャピラリ１がキャピラリ保持部材２に取り付けられているバイオチップ作成装置が，図１に図示されている。
　
（３）刊行物３記載の事項
（３ａ）「【００１９】ここで，本発明の大きな特徴であるスポッティングヘッド１について説明すると，スポッティングヘッド１は，インクジェットプリンタの原理を応用したものであり，図２に示すように，
内部にプローブ溶液５を収容する収容部１１ａ及びこの収容部１１ａに連通する噴射口１１ｂを有するヘッド本体１１
【００２０】ヘッド本体１１の噴射口１１ｂと対向する側の壁部（以下，上壁部ともいう）１１ｃは，可動壁部として構成され，この可動壁部１１ｃの上部には操作部１１ｄが設けられている。収容部１１ａ内へのプローブ溶液５の充填は，例えば，スポッティングヘッド１をアーム４から取り外した後，図示しない容器に収容されたプローブ溶液に噴射口１１ｂを浸漬した後，作業者が操作部１１ｄを介して可動壁部１１ｃを引く（噴射口１１ｂから離隔させる側に移動させる）ことにより行なわれるようになっている。」
（３ｂ）「【００２３】収容部１１ａ内のプローブ溶液５は，噴射口１１ｂの先端（図２中で下端）まできており，所定圧力によりメニスカス５ａを形成している。」
（３ｃ）「【００２９】なお，本発明のスポッティングヘッド，スポッティング装置及びスポッティング方法は上述した実施形態に限定されず，発明の趣旨を逸脱しない範囲で種々の変形が可能である。例えば，図１においてスポッティングヘッド１の形状は円筒状になっているが角柱状であっても良い。また，
噴射口１１ｂは，図１及び図２においてはオリフィス形状で示されている
（３ｄ）図１
　図１には，噴射口１１ｂとヘッド本体の収容部１１ａが記載されている。
（３ｅ）図２
　図２には，プローブ溶液５が貯留する収容部１１ａにその根元部が結合されプローブ溶液を噴射口１１ｂまで導くものが図示されている。
（３ｆ）「【０００２】【従来の技術】従来より，生体由来の試料（生体試料）を検出するためのチップが開発されている。このようなチップの一例としては，例えば，生体試料又は生体試料と相補的に結合する試料としてＤＮＡが表面に固定されたＤＮＡチップがあり，この
ＤＮＡチップ
　　
（４）刊行物４記載の事項
（４ａ）「【０００２】【従来の技術】従来から，複数種類のＤＮＡ，ＲＮＡ，たんぱく質等の生体高分子を含むスポット溶液を，ナイロンメンブレンなどの支持体にスポットして，
マクロアレイ
（４ｂ）「【００３６】図７は，本発明によるスポットピンの他の例を示す断面図である。
このスポットピンは，図４に示したスポットピンに溶液貯留部を設けたものに相当する。
溶液貯留部７７と第２部材本体の溶液供給部７４を構成する毛細管とを屈折した流路７８で連絡した。
（４ｃ）「【００４０】図９は，本発明によるスポットピンの更に別の例を示す断面図である。このスポットピン９０は，図４に示したスポットピンに溶液貯留部を設けたものに相当し，図７に示したスポットピン７０と類似のものであるが，溶液貯留部の設置場所が図７のピンとは異なる。
【００４１】第１部材９１は，先端部に溶液保持部９３を構成する毛細管を備え，その上端部はスポット装置のピンヘッドに固定される。第２部材９２は，溶液保持部９３に溶液を供給する溶液供給部９４を構成する毛細管と，溶液供給部９４の上部に設けられた溶液貯留部９７を備える。また，第２部材９２からは，ストッパとして機能するＬ字状の枝部９５が第１部材９１のスリットを通って側方に突出し，前方に延びている。第１部材９１の軸方向に沿って設けられたスリットは一部が周方向に拡大されて窓状になっており，その部分が第２部材９２の溶液貯留部９７に溶液を注入するための溶液注入口９８となる。溶液貯留部９７には大量の溶液を充填することができるため，一度の溶液充填によって等量のスポットを多数の支持体に連続して形成することができる。第１部材９１の内壁及びスリットはスライドガイドとして作用し，第２部材９２は表面を第１部材９１の内壁に摺動させて，圧縮バネ９６の力に抗してスライドすることができる。」
　したがって，刊行物４にも，「溶液を溜める溶液供給部（溶液貯留部７７，９７）と，この溶液供給部にその根元部分が結合され前記溶液を先端部まで導く毛細管を有する溶液供給装置」が記載されている。
（４ｄ）図７
　図７には，
溶液貯留部７７の底部に流路７８を連結しスポットピンの先端部の溶液保持部７３まで溶液を連通させている状態が図示されている
（４ｅ）図９
　図９には，溶液貯留部９７の底に溶液供給部９４を構成する毛細管を連結し，スポットピンの先端部の溶液保持部９３まで溶液が連通している状態が図示されている。
（４ｆ）「【図１１】図１０に示した
複数連結型スポットピン
（４ｇ）図１１
　図１１には，スポットピンが連結されている状態が図示されている。
　
（５）刊行物５記載の事項
（５ａ)「【要約】【課題】例えば
ＤＮＡチップ
【解決手段】シリンジ21の軸心に沿って径の異なる中空部21ａ〜21ｄを形成する。中空部21ａ〜21ｄに圧力源31によって発生させた正圧，真空圧発生器33によって発生させた負圧を作用させる。作業テーブル11の領域11ａに基盤１を配列し，領域11ｂに試薬を収容した容器３を配置する。Ｘ方向駆動部材12，Ｙ方向駆動部材13によってキャリッジ14を作業テーブル11に設定された領域11ａ〜11ｄの所望位置に移動させ，Ｚ方向駆動部材15を駆動して転写部材Ｂを昇降させる一連の動作を行わせることで，シリンジ21による薬液の採取，基盤１に対する転写，洗浄，乾燥の各工程を経て点２を形成する。」
（５ｂ）「【００４８】転写部材Ｂは，Ｚ方向駆動部材15のボールナット15ｂに装着されたフレーム22と，フレーム22の先端部位に突設されシリンジ21を移動可能に取り付けたブラケット23と，ブラケット23の下面に配置されシリンジ21を下方に付勢するバネ24と，を有して構成されている。
【００４９】シリンジ21は細長い棒状の材料を用いて形成されており，軸に沿って（軸心に一致して）径の異なる中空部21ａ〜21ｄが形成されることで筒状に形成されている。前記中空部21ａ〜21ｄは連続して形成され，シリンジ21の上下両端部に対応する部分が開放されている。
【００５０】シリンジ21の上端側から所定長さの部分は中空棒状に形成されており，予め設定された部位にフランジ21ｅが形成されている。フランジ21ｅをはさんで上端側及び下端側は可及的に太い中空棒状に形成され，更に，下端部から所定の長さ範囲では，下端部に向けて径が小さくなるテーパ状に形成されている。シリンジ21の下端部側の所定長さ部分は，試薬を採取する場合容器３に形成された収容部３ａに浸されるものである。またシリンジ21の下端面（先端面）は試薬を転写する際に基盤１の表面に当接するものであり，該基盤１に形成される点２の寸法に対応した寸法を有している。従って，シリンジ21の下端側をテーパ状に形成することで，収容部３ａが円錐状に形成されている場合であっても円滑に挿入することが可能であり，且つシリンジ21の大部分の太さを点２の寸法よりも充分に大きく形成することが可能であり高い剛性と強度とを発揮させることが可能である。
【００５１】シリンジ21の上端側の端部近傍には，Ｅリング或いはＣリング等のリング21ｆが取り付けられている。またシリンジ21はブラケット23に上下方向に移動し得るように取り付けられると共に該ブラケット23とシリンジ21のフランジ21ｅとの間にバネ24が装着されている。このため，シリンジ21はバネ24によって常に下方に向けて付勢されており，且つリング21ｆによって下方への移動が阻止されている。
【００５２】シリンジ21の内部に形成された中空部21ａ〜21ｄは下端側に形成された中空部21ａが最も径が小さく，上端側に向かって順に径が大きくなっている。
【００５３】
本実施例に於いて中空部21ａ及び中空部21ｂは試薬を保持する機能を有する。
【００５４】本実施例に於いて，中空部21ａは0.1mmの径で長さ３mmの寸法を持って形成されており，また中空部21ｂは0.5mmの径で且つ充分な長さを持って形成されている。更に，シリンジ21の先端面の外径は0.18mmで形成されている。このような中空部21ａでは容量が約0.02μｌであり，シリンジ21を水中に浸したとき0.5秒で吸い上げることが可能である。
【００５５】上記の如く構成されたシリンジ21では，図３（ａ），（ｂ）に示すように，シリンジ21の下端部を容器３の収容部３ａに挿入すると，中空部21ａの毛細管現象により試薬を吸い上げて採取すると共に保持することが可能である。このとき，シリンジ21を収容部３ａに挿入しておく時間を制御することで，中空部21ａのみの容積で採取するか，中空部21ｂの容積をも利用するかを選択することが可能であり，試薬の採取量を制御することが可能である。」
（５ｃ）図２
　図２には，複数のシリンジ２１がフレーム２２に取り付けられ，中空部２１ｂの底部が中空部２１ａに連通している状態が図示されている。
　
３．補正発明と刊行物１発明との対比
　補正発明と刊行物１発明を対比する。
ア．刊行物１発明の「特異的生体高分子」は，補正発明の「生体高分子」に包含されるから，刊行物１発明の「基板上に特異的生体高分子のアレイを形成するバイオチップ作成装置」は，補正発明の「基板上に特異的生体高分子のアレイを形成するバイオチップ作成装置」に相当する。
　
イ．刊行物１発明の「前記基板を載置したステージをＸＹＺ方向に移動する手段」は，補正発明の「前記基板を上下左右に移動する手段」に相当することは明白である。
　
ウ．刊行物１発明の「各々別の特異性生体高分子液」は，補正発明の「それぞれ種類の異なる生体高分子を含む溶液」に相当する。
　そして，刊行物１発明の容器は、溶液を供給する機能は有していないので，刊行物１発明の「各々別の特異性生体高分子液の入った容器」と，補正発明の「それぞれ種類の異なる生体高分子を含む溶液を溜める溶液供給部」とは，「それぞれ種類の異なる生体高分子を含む溶液を溜める溶液部材」という点で共通する。
　
エ．刊行物１発明のスポットピンは，「毛管流路が軸線方向に形成されており，前記基板表面に接触する側の端部に前記毛管流路の開口部が形成されており，前記各々別の特異性生体高分子液に浸漬して，前記毛管流路内に特異性生体分子溶液を所定量保持させ」るものであって，いわゆる，インク瓶にペン先を漬けるような溶液供給方式を具備するものである。
　これに対して，補正発明は「この溶液供給部にその根元部分が結合され前記溶液を先端部まで導く」溶液供給方式を具備するものである。
　そうすると，刊行物１発明の「前記スポットピンは，毛管流路が軸線方向に形成されており，前記基板表面に接触する側の端部に前記毛管流路の開口部が形成されており，前記特異性生体高分子液に浸漬して，前記毛管流路内に特異性生体分子溶液を所定量保持させ，前記特異性生体高分子液を前記開口部まで導くスポットピン」と，補正発明の「この溶液供給部にその根元部分が結合され前記溶液を先端部まで導くピン」とは，溶液供給方式において異なるものの「前記溶液を先端部まで導くピン」という点で共通する。
　
オ．刊行物１発明の「前記基板を所定位置へ移動させて，各スポットピンの特異性生体高分子液を前記基板の所定位置にそれぞれ付着させ，基板上に特異的生体高分子アレイを形成できるように構成したバイオチップ作成装置」は，補正発明の「前記基板を所定位置へ移動させて，各溶液供給装置の溶液を前記基板の所定位置にそれぞれ付着させ，基板上に生体高分子アレイを形成できるように構成したことを特徴とするバイオチップ作成装置」に相当する。
　
　以上のことから，補正発明と刊行物１発明とは，以下の（一致点）及び（相違点）がある。
　
（一致点）
「基板上に生体高分子のアレイを形成するバイオチップ作成装置において，
  前記基板を上下左右に移動する手段と，
　それぞれ種類の異なる生体高分子を含む溶液を溜める部材と
　前記溶液を先端部まで導くピンとを有し，
　前記基板を所定位置へ移動させて，各溶液供給装置の溶液を前記基板の所定位置にそれぞれ付着させ，基板上に生体高分子アレイを形成できるように構成したことを特徴とするバイオチップ作成装置」
　
（相違点）
ア．相違点１
　溶液を溜める部材が，補正発明では「溶液供給部」であるのに対して，刊行物１発明ではスポットピンを浸漬するための容器であり，
　溶液を先端まで導く溶液供給方式が，補正発明では「この溶液供給部にその根元部分が結合され前記溶液を先端部まで導く」ものであるのに対して，刊行物１発明では，「前記スポットピンは，毛管流路が軸線方向に形成されており，前記基板表面に接触する側の端部に前記毛管流路の開口部が形成されており，前記特異性生体高分子液に浸漬して，前記毛管流路内に特異性生体分子溶液を所定量保持させ，前記特異性生体高分子液を前記開口部まで導く」，いわゆる，インク瓶にペン先を漬けるような溶液供給方式ものである点。
　
イ．相違点２
　補正発明が「所定間隔で連結固定された複数個の溶液供給装置」を備えているのに対して，刊行物１発明では，所定間隔で複数のスポットピンを備えているものの，そのような構成を具備していない点。
　
４．相違点についての検討
（１）相違点１について
　バイオチップ作成装置において，生体高分子を含む溶液を溜める溶液供給部を具備し，そして，この溶液供給部にその根元部分が結合され前記溶液を先端部まで導くものを有するものは下記「ア．」で詳述する刊行物３に記載されて本願出願前より周知であるし，これに加えるなら下記「イ．」及び「ウ．」で詳述する刊行物４及び５にも記載されている。
　さらに，そもそも液を溜める容器から溶液を毛管現象により先端部に導き，平面部材上に供給する液体供給装置は，万年筆のように，日用品として知られるきわめて周知の液体供給方式でもある。
　そうすると，刊行物１発明において，刊行物１記載のインク瓶にペン先を漬けるような溶液供給方式に代えて，上記周知の溶液を溜める部材を用いて溶液を導く溶液供給方式を採用して，相違点１に記載の補正発明の構成の如くすることは，当業者が何の困難性もなくなし得たことといえる。
　
ア．刊行物３
　前記記載（３ａ）に記載の「収容部１１ａ」は、内部にプローブ溶液５が貯留されており補正発明の「溶液供給部」に相当する。そして，刊行物３記載の「噴射口１１ｂ」は，前記記載（３ｅ）に「オリフィス形状」と記載されており，図１及び図２に記載のように収容部１１ａより径が細い管となっていることが，把握される。この「噴射口１１ｂ」は，収容部１１ａにその根元部分が連結され先端部までにプローブ溶液が導かれていることが図２及び前記記載（３ａ）から把握される。
イ．刊行物４
　前記記載（４ａ）及び図７からみて，刊行物４には，溶液貯留部７７の底部に流路７８を連結しスポットピンの先端部の溶液保持部７３まで溶液を連通させている状態が図示されている。
　図９にも同様の技術的事項が記載されている。
ウ．刊行物５
　前記記載（５ａ）（５ｂ）及び図２からみて，DNAチップを作成する試薬を中空部２１ｂに溜めており，これは，補正発明の溶液供給部に相当する。そして，中空部２１ｂは，それより径の細い中空部２１ａに連結されており，中空部２１ａの先端まで試薬が導かれている。
　
（２）相違点２について
　バイオチップ作成装置において、複数個の溶液供給装置を所定間隔で連結固定することは、例えば、刊行物２に、バイオチップ作成装置におけるスポットするＤＮＡ（生体高分子）を含有する溶液の溶液供給装置である複数個の「キャピラリ」を，それぞれ種類の異なる生体高分子を含む溶液を保持させて，所定間隔で連結固定させて使用することが記載されているように周知である。
　さらに加えるなら，刊行物４の前記記載（４ｆ）及び（４ｇ）や刊行物５の前記記載（５ｃ）にも，所定間隔で連結固定された複数個の溶液供給装置が記載されている。
　そうすると，刊行物１発明に，かかる周知の技術的事項を付加して補正発明の如く構成するとは，特段の創作力を要することなくなし得た事といえる。
　
　そして，これらの相違点に係る構成を採用することによる効果も，多数回の付着に高速で対応できるなど当業者が予測し得る範囲内のものであって，格別顕著なものとはいえない。
 　 
　以上のとおりであるから，本願補正発明は，刊行物１に記載された発明及び周知技術的事項に基づいて，当業者が容易に発明をすることができたものであるから，特許法第２９条第２項の規定により特許出願の際独立して特許を受けることができないものである。
 　 
５．むすび 
　したがって，本件補正は，平成１８年改正前の特許法第１７条の２第５項で準用する同法第１２６条第５項の規定に違反するものであり，特許法第１５９条第１項で読み替えて準用する特許法第５３条第１項の規定により却下されるべきものである。 
  
 第３　本願発明について 
 １．本願発明 
 　本件補正は上記のとおり却下されたので，本願の請求項１〜９に係る発明は，平成２１年２月１８日付け手続補正書により補正された特許請求の範囲の請求項１〜９に記載された事項により特定されるものである。そして，その請求項１は，以下のとおりである。 　 
「【請求項１】
　基板上に生体高分子のアレイを形成するバイオチップ作成装置において，
　前記基板を上下左右に移動する手段と，
　それぞれ生体高分子を含む溶液を溜める溶液供給部と，この溶液供給部の溶液を先端部まで導くピンとを有し，所定間隔で連結固定された複数個の溶液供給装置とを備え，
　前記基板を所定位置へ移動させて，各溶液供給装置の溶液を前記基板の所定位置にそれぞれ付着させ，基板上に生体高分子アレイを形成できるように構成したことを特徴とするバイオチップ作成装置。」 （以下，請求項１に係る発明「本願発明」という。）
　 
 ２．引用刊行物等の記載事項 
 　原査定の拒絶の理由に引用された刊行物１及び２の記載事項並びに周知の技術的事項である刊行物３〜５の記載事項は，前記「第２　２．」に記載したとおりである。 
　
 ３．対比・判断 
　本願発明は前記「第２」で検討した補正発明から，「生体高分子を含む溶液」についての「種類の異なる」という限定と，「溶液供給部」と「その溶液を先端部まで導くピン」との関係を特定する，「にその根元部分が結合され前記」という限定を省いたものである。 
　そうすると，本願発明の構成要件を全て含み，さらに他の構成要件を付加したものに相当する補正発明が，前記「第２　４．」において検討したとおり，刊行物１に記載された発明及び周知の技術的事項に基づいて当業者が容易に発明をすることができたものであることから，本願発明も同様の理由により，刊行物１，２に記載された発明及び周知の技術的事項に基づいて当業者が容易に発明をすることができたものである。 
 　 
 ４．むすび 
 　以上のとおり，本願発明は，本願出願日前に頒布された刊行物１記載の発明及び周知の技術的事項に基づいて当業者が容易に発明をすることができたものであるから，特許法第２９条第２項の規定により特許を受けることができない。 
　したがって，本願は，他の請求項に係る発明について検討するまでもなく拒絶すべきものである。
　よって，結論のとおり審決する。